(57)【要約】      （修正有）【課題】廃水処理システムを通る廃水流出物の流量及び全体の体積を増大させる方法の提供。【解決手段】円筒形カートリッジ１０の各々が、キャビティを画定する外側スクリーン１２を有し、カートリッジ１０の各々を、キャビティ１４内に配置し、ドレンマニホルドに連通するドレンスタンドパイプ１６を有し、各ドレンスタンドパイプ１６が、その長さおよび部分的な円周に沿う少なくとも１つの列として構成される複数のパターン化された開口部を有し、各列が、パターン化された開口部の隣接する列から１２０°の回転角で配置される。各ドレンスタンドパイプがその隣接するドレンスタンドパイプから３０°の回転角で配置され、その結果、いずれのドレンスタンドパイプ１６のパターン化された開口部の列も、他のドレンスタンドパイプ１６内のパターン化された開口部の他の列に直接に対向することがなくなるように配置する、スクリーンボックス組立体０１。【選択図】図１
2017185477.tif 000002
【特許請求の範囲】
【請求項１】
廃水処理システム内の廃水から固体をスクリーニングするためのスクリーンデカンタにおいて、
ａ）ドレンマニホルドと、
ｂ）前記ドレンマニホルドに装着される複数の円筒形カートリッジであって、前記円筒形カートリッジの各々が中にキャビティを画定する外側スクリーンを有する、複数の円筒形カートリッジと
を備え、
前記カートリッジのうちの少なくとも１つが、前記キャビティ内に配置された、前記ドレンマニホルドに連通する少なくとも１つのドレンスタンドパイプを有し、
前記少なくとも１つのドレンスタンドパイプが、その長さおよび部分的な円周に沿う少なくとも１つの列として配置される複数のパターン化された開口部を有する、スクリーンデカンタ。
【請求項２】
前記複数の円筒形カートリッジが平行な列として前記マニホルド構造上に配置され、前記カートリッジの各々が請求項１に記載のドレンスタンドパイプを有する、請求項１に記載のスクリーンデカンタ。
【請求項３】
前記ドレンスタンドパイプの各々が複数の列のパターン化された開口部を備える、請求項２に記載のスクリーンデカンタ。
【請求項４】
３つの列のパターン化された開口部を備え、各列が、その隣接する列のパターン化された開口部から第１の回転角で配置される、請求項３に記載のスクリーンデカンタ。
【請求項５】
前記第１の回転角が１２０°である、請求項４に記載のスクリーンデカンタ。
【請求項６】
前記ドレンスタンドパイプの各々が、同じ列および隣接する列の両方で、そのすぐ隣のドレンスタンドパイプから第２の回転角で配向される、請求項４に記載のスクリーンデカンタ。
【請求項７】
前記第２の回転角が３０°である、請求項６に記載のスクリーンデカンタ。
【請求項８】
いずれの前記ドレンスタンドパイプのパターン化された開口部の列も、他のドレンスタンドパイプのパターン化された開口部の他の列に対向しない、請求項３に記載のスクリーンデカンタ。
【請求項９】
前記パターン化された開口部の形状が、水平方向のスロット、垂直方向のスロット、円形、網、および、それらの組合せ、からなる群から選択される、請求項３に記載のスクリーンデカンタ。
【請求項１０】
前記複数のカートリッジと前記ドレンマニホルドとの間に配置される偏向板をさらに備える、請求項１に記載のスクリーンデカンタ。
【請求項１１】
前記外側スクリーンが約２５マイクロメートルから約７５マイクロメートルの間の孔を有する、請求項１に記載のスクリーンデカンタ。
【請求項１２】
前記外側スクリーンの各々に隣接するように配置される有孔の空気プレナムをさらに備える、請求項１に記載のスクリーンデカンタ。
【請求項１３】
廃水処理システム内の廃水から固体をスクリーニングするためのスクリーンデカンタにおいて、
ａ）ドレンマニホルドと、
ｂ）複数の列として前記ドレンマニホルドに装着される複数の円筒形カートリッジであって、前記円筒形カートリッジの各々が中にキャビティを画定する外側スクリーンを有し、
前記外側スクリーンの各々が２５マイクロメートルから７５マイクロメートルの間の孔を有し、
前記カートリッジの各々が、前記キャビティ内に配置された、前記ドレンマニホルドに連通するドレンスタンドパイプを有し、
前記ドレンスタンドパイプの各々が、その長さおよび部分的な円周に沿う少なくとも１つの列でアレイとして配置される複数のパターン化された開口部を有し、
いずれの前記ドレンスタンドパイプのパターン化された開口部の列も、他のドレンスタンドパイプのパターン化された開口部の他の列に対向しない、
複数の円筒形カートリッジと、
ｃ）前記複数のカートリッジと前記ドレンマニホルドとの間に配置される偏向板と
を備える、スクリーンデカンタ。
【発明の詳細な説明】
【技術分野】
【０００１】
他の出願と特許との関連
本出願は、２０１５年１２月３０日に出願された係属中の米国特許出願第１４／９８４，２０６号（’２０６の出願）の一部継続出願であり、これが２０１４年８月２８日に出願された係属中の米国特許出願第１４／４７１，２４７号（’２４７の出願）の一部継続出願であり、これが２０１３年１２月２７日に出願された係属中の米国特許出願第１４／１４２，１９７号（’１９７の出願）の一部継続出願である。上記の出願のすべてが、あらゆる目的のためにその全体が参照により本明細書に組み込まれる。
【０００２】
本発明は廃水処理の分野に関し、より詳細には、通水量を最大にしてダウンタイムを最小にするためにマイクロスクリーンを通して一様な流出物流れ（ｅｆｆｌｕｅｎｔ  ｆｌｏｗ）を生成するための装置および方法に関し、最も詳細には、固体から液体を分離するためのスクリーンまたは並行して動作する複数のスクリーンを備える、本明細書では交換可能に「スクリーンデカンタ（ｓｃｒｅｅｎ  ｄｅｃａｎｔｅｒ）」とも称されるスクリーンボックス（ＳＢＸ：ｓｃｒｅｅｎ  ｂｏｘ）組立体に関する。
【背景技術】
【０００３】
先進国および発展途上国では、収集システムおよび廃水処理施設からの廃水の排出の一次処理および消毒が、水質を改善するための第１のステップである。通常、一次流出物（ｐｒｉｍａｒｙ  ｅｆｆｌｕｅｎｔ）の追加の処理を実現するために、二次・三次廃水処理プロセスが追加される。
【０００４】
一次処理がスクリーニングおよび重力沈殿を介して大きい高密度の固体を除去し、それにより中立の浮揚性物質（ｎｅｕｔｒａｌｌｙ−ｂｕｏｙａｎｔ  ｍａｔｔｅｒ）が二次処理プロセスまたはｒｅｃｅｉｖｉｎｇ  ｂｏｄｙ  ｏｆ  ｗａｔｅｒへ入ることが可能となる。重力沈殿または浄化を利用する一次処理は、生化学的酸素要求量（ＢＯＤ：Ｂｉｏｃｈｅｍｉｃａｌ  Ｏｘｙｇｅｎ  Ｄｅｍａｎｄ）で測定される有機負荷の２０〜３３％を除去するものとして認識される。二次処理が、ＢＯＤをバクテリアの形態であるバイオマスおよびＣＯ２へと変換することにより有機負荷のさらに５０＋％を除去する。
【０００５】
二次処理は、一次処理後に廃水中に残るＢＯＤおよび栄養素を消費するのに必要となるバクテリア数を維持するために、温度、体積、混合、および、酸素の適正な環境を、または嫌気性のプロセスの場合は酸素がないことを実現する。新たな有機物質が処理施設に継続的に入り、その結果、既存のバクテリア数の一部がプロセスから除去され、それにより新たなバクテリアの成長を促進する。一次処理の有効性は二次プロセスに直接に影響するか、または、収集システムから排出される場合のｒｅｃｅｉｖｉｎｇ  ｂｏｄｙ  ｏｆ  ｗａｔｅｒに直接に影響する。
【０００６】
一次浄化器または一次沈殿槽は、エネルギーがほとんど必要ではくまた維持すべきバイオマスが存在しないことから、廃水中のＢＯＤを低減するのに最も経済的な手段と認識される。一次処理はバイオマスを作らず、したがって、給気エネルギー（ａｅｒａｔｉｏｎ  ｅｎｅｒｇｙ）を必要とせず、バイオマスの健康状態を決定するためにバイオマスを監視するためのプロセス制御を必要とせず、側留ダイジェスタ（ｓｉｄｅ−ｓｔｒｅａｍ  ｄｉｇｅｓｔｅｒ）に移動させることによってバクテリアを分離または除去することを必要とせず、ダイジェスタの給気を必要とせず、二次スラッジとも呼ばれる余剰のバクテリアを脱水または処分することを必要としない。一次処理は複雑ではないことから、地表水または帯水層を回復するのを促進し健康問題を低減するために、発展途上国に良好に適する。
【０００７】
既知の一次浄化器は円形タンクまたは矩形タンクを備え、固体の沈殿速度より水平方向の流体速度を低くするように体積的および幾何学的にサイズ決定される。入口から流出物堰またはデカンタまでの液体の水平方向の移動時間および移動距離は、浮遊固体の沈殿時間および沈殿距離より長くなければならず、その場合に流出物堰またはデカンタに到達する前に固体が沈殿するようになる。これらの沈殿した固体が未処理下水中のＢＯＤの大部分を含む。この第１のステージの有効性は重要である。というのは、一次浄化器から出る固体が増えると、二次処理プロセスまたは流出物−ｒｅｃｅｉｖｉｎｇ  ｂｏｄｙ  ｏｆ  ｗａｔｅｒに入るＢＯＤが減るからである。
【０００８】
’１９７の出願が、変化する廃水レベルへのスクリーンの露出を最適化するために垂直方向に制御可能に駆動される、箱、楕円または円筒形の形態の超微細スクリーンを備える改善されたスクリーンデカンタ（本明細書ではスクリーンボックスまたは「ＳＢＸ」とも称される）を開示しており、これは、専用のオーバーヘッド装置内でのバックフラッシングおよび殺菌のために廃水から持ち上げられ得る。スクリーン組立体の移動は垂直方向のみであることから、タンク内での必要となる設置面積を比較的小さくすることができる。空気洗浄ヘッダがスクリーン表面を空気洗浄するための気泡を提供する。この出願は、高流量であり、スクリーンボックスを配置するのに制限された表面積しか有さず、および／または、浅い活性のタンク容積の既存の一次浄化器を有する、廃水システムに有用である薄型のスクリーンボックスをさらに開示しており、ここでは、複数のスクリーンボックスまたはラックが、制御されたスクリーン負荷速度で必要なスクリーン表面積を提供するように平行に並べられ得る。
【０００９】
’１９７の出願は、分布され得、スクリーンに向かうように移動し始めることができる固体のためのスクリーン表面までの水平方向の移動距離を増大させる偏向板をさらに開示している。
【００１０】
’１９７の出願では、ＳＢＸのためのバッフル付きのリフティングカラムおよび組み合わされるスタブの流出物ドレンパイプがさらに開示されている。バッフル付きリフティングカラムが、堰またはデカンタの下方で流出物パイプまたはホースに接続されるスロット付きまたは有孔の円形パイプである。リフティングカラムが、スクリーンを通して流れを分布させるのを促進するための開口部を備えるＳＢＸの中央に配置される。長い矩形スクリーンラックが、スクリーンラック内の中央に配置されて等しく離間される３つのリフティングカラムを有する。好適には、バッフル付きのリフティングカラムの開口面積が底部で最も小さく、上にいくにつれて増大し、リフティングカラムの下側部分に損失水頭を生じさせ、移動距離および圧力を均一にし、したがって、液体接触の最も低い位置から最も高い位置までのスクリーンを通る流れを均一にする。
【００１１】
任意のスクリーン組立体の上流表面の汚染を単純な形で自動に防止するための装置および方法が’２４７の出願で開示されている。
’２０６の出願は、フレームを有するラックと、フレームに取り付けられて長手方向キャビティの両側部を画定するように配置される複数のスクリーンと、キャビティの２つの追加の対向する側部を画定するように配置される、フレームに取り付けられるバッフルと、キャビティ内に配置される少なくとも１つの有孔のドレンスタンドパイプ（ｄｒａｉｎ  ｓｔａｎｄｐｉｐｅ）と、を備えるスクリーンデカンタを開示している。好適には、スクリーンが２５マイクロメートルから７５マイクロメートルの間の、また最も好適には約５０マイクロメートルの孔を有する。スクリーンデカンタが採用される孔より大きい固体に対してのバリアを提供し、その結果、液体がスクリーンのみを通って沈殿タンクからキャビティの中へ通過する。濾過された液体が、ドレンスタンドパイプの長さに沿うパターンを有する開口部を通ってキャビティから流し出される。このパターンは、すべての浸入深度においてスクリーンおよびドレンスタンドパイプを通る実質的に等しい流れを提供するために、キャビティ内での水頭の範囲の効果を打ち消すように構成される。エンドバッフル、パイプ位置、および、パイプのパーフォレーションの向いている角度が、キャビティ内での種々の深さにおける上で言及した一様な流れを補完する水平方向の流れパターンをさらに一様にするように一体に働く。
【００１２】
衛生のための廃水および飲食物処理のための廃水の両方の、廃水処理で微細スクリーンの装置を使用する場合、可能性のある汚染に、および、可能性のある動作問題としてのスクリーニング装置（ｓｃｒｅｅｎｉｎｇ）の閉塞に対処することが重要であり、これらの汚染および閉塞は、塞がったスクリーンを洗浄および／または交換するのに時間が失われることを理由として非効率の原因となる可能性がある。従来技術の運転、また特には、都市廃水処理プラントなどの高流量の状況において、一般には追加の保守管理の問題もある。
【００１３】
流れの一様性を向上させひいてはスクリーン要素を通る全体の流量を増大させることによりデカンタのスループットの大きさを増大させるような、また、必要となるスクリーンの洗浄および／またはスクリーンの交換の間の時間間隔を延ばすことにより運転効率を向上させるような、改善されるスクリーンデカンタ構成が当技術分野では必要とされる。
【発明の概要】
【発明が解決しようとする課題】
【００１４】
本発明の主要な目的は、デカンタスクリーンを早期に汚染することなく、また、スクリーンボックス組立体の全体の設置面積を増大させることなく、したがって一次処理施設の全体の設置面積を増大させることなく、既知の構成と比較して、廃水処理システムを通る廃水流出物の流量および全体の体積の両方を増大させることである。
【００１５】
この原理を可能にするために、本発明の別の目的は、微細スクリーンの一部分を塞ぐ可能性がある局所的な高ピークの流れ領域を最小にしてデカンタのスループットを最大にするためにすべてのスクリーンのすべての部分にほぼ等しい流量を受けさせるように、スクリーンデカンタを通る廃水流れを制御することである。
【課題を解決するための手段】
【００１６】
本発明は装置および方法を対象とし、ここでは、廃水処理システム内の改善されたスクリーンデカンタが、複数の円筒形外側スクリーンと、すべての浸入レベルにおいてスクリーンのすべての単位面積を通る流量を均一にすることによりスクリーンを通る全体の流量を増大させるように構成されるドレンスタンドパイプとを備える。
【００１７】
本発明の現在好適な実施形態によると、廃水処理システム内の廃水から固体をスクリーニングするためのスクリーンデカンタが、ドレンマニホルド（ｄｒａｉｎ  ｍａｎｉｆｏｌｄ）と、ドレンマニホルドに装着される複数の円筒形カートリッジとを備え、円筒形カートリッジの各々が中にキャビティを画定する外側スクリーンを有する。カートリッジの各々が、キャビティ内に配置された、ドレンマニホルドに連通するドレンスタンドパイプを有する。各ドレンスタンドパイプが、その長さおよび部分的な円周に沿う少なくとも１つの列として構成される複数のパターン化された開口部を有する。好適には、各ドレンスタンドパイプが３列のパターン化された開口部を備え、各列が、パターン化された開口部の隣接する列から１２０°の回転角で配置される。好適には、各ドレンスタンドパイプが、同じ列のカートリッジおよび隣接する列のカートリッジの両方において、そのすぐ隣のドレンスタンドパイプから３０°の回転角で配置され、その結果、上記のいずれのドレンスタンドパイプのパターン化された開口部の列も、他のドレンスタンドパイプ内のパターン化された開口部の他の列に直接に対向することがなくなる。
【００１８】
次に、例として添付図面を参照して本発明を説明する。
【図面の簡単な説明】
【００１９】
【図１】本出願によるスクリーンデカンタ（ＳＢＸ）の実施形態を示す第１の上面等角図である。
【図２】図１に示されるスクリーンデカンタの第２の等角図である。
【図３】図３Ａは、ドレンスタンドパイプ内のパターン化された開口部の代替的構成を示す正面図である。図３Ｂは、ドレンスタンドパイプ内のパターン化された開口部の代替的構成を示す正面図である。図３Ｃは、ドレンスタンドパイプ内のパターン化された開口部の代替的構成を示す正面図である。図３Ｄは、ドレンスタンドパイプ内のパターン化された開口部の代替的構成を示す正面図である。図３Ｅは、ドレンスタンドパイプ内のパターン化された開口部の代替的構成を示す正面図である。図３Ｆは、ドレンスタンドパイプ内のパターン化された開口部の代替的構成を示す正面図である。図３Ｇは、ドレンスタンドパイプ内のパターン化された開口部の代替的構成を示す正面図である。
【図４】図１および２に示されるスクリーンデカンタの個別のスクリーンカートリッジを示す上面等角図である。
【図５】図１に示されるスクリーンデカンタのマニホルドを示す上面等角図である。
【図６】隣接するドレンスタンドパイプを基準とした各々のドレンスタンドパイプの現在好適である向きを示している、図１に示されるスクリーンデカンタの一部分を示す水平方向の概略断面図である。
【発明を実施するための形態】
【００２０】
以下の説明を通して、本発明をより完全に理解するのを可能にするように特定の要素が記述される。しかし、いくつかの実施形態では、本発明はこれらの要素のうちのいくつかの要素なしで実施され得る。他の例としては、本開示が不必要に曖昧になるのを回避するために、よく知られる要素を詳細には示したり説明したりしていない。したがって、本明細書および図面は限定的ではなく例示的なものであるとみなされるべきである。また、図面が正確な縮尺ではなくてもよいことに留意されたい。
【００２１】
図１〜６を参照すると、本発明によるスクリーンボックス（ＳＢＸ）組立体０１の好適な実施形態が、少なくとも１つのカートリッジ１０を備え、また現在好適な実施形態では、各々４つである２列のカートリッジ内に配置される８つのカートリッジを備える。各カートリッジ１０がキャビティ１４を形成するスクリーン１２を備え、キャビティ１４内で、１つまたは複数のドレンスタンドパイプ１６がスクリーンを通して廃水を引き入れるように位置する。スクリーン１２は好適には円形基部を備える円筒形の形態として形作られるが、他の構成も可能である。好適な実施形態では、スクリーン１２が約５０マイクロメートルの孔を有する超微細スクリーンである。スクリーン１２に着脱自在に取り付けられてスクリーン１２を支持するフレーム１８が、キャビティ１４をさらに画定して各カートリッジ１０の底部を形成するようにも機能し、それによりバリアを提供し、その結果、デカント期間中にＳＢＸ組立体０１が動作するときに液体がカートリッジ１０の外側からスクリーン１２のみを通ってキャビティ１４の中に入ることができるようになる。
【００２２】
廃水処理システム内のタンク内の液体の表面を基準としてＳＢＸ組立体０１を垂直方向に配置することにより、スクリーン１２のほぼ頂部まで液体をもってくるのに必要な深さだけＳＢＸ組立体が沈められるようになり、フレーム１８の頂部を越えて液体がこぼれるのを防止するためにそれ以上は沈められない。
【００２３】
少なくとも１つの開口部２０がカートリッジ１０の底部かつその内部に位置し、この開口部２０を通して、液体がカートリッジ内部のキャビティ１４からカートリッジの外側へ流れることができる。少なくとも１つのドレンスタンドパイプ１６がキャビティ１４の内部の開口部２０に位置し、キャビティ１４の内部から開口部２０への液体の流れのためのチャンネルを形成する。
【００２４】
現在好適な実施形態では、少なくとも１列のパターン化されるパーフォレーション２４、また好適には後で説明するような３つの長手方向のアレイのパターン化されるパーフォレーションが、各ドレンスタンドパイプ１６内に形成される。（便宜上、「パーフォレーション」、「孔」および「開口部」という用語が本明細書では交換可能に使用される。）各ドレンパイプ１６の長さに沿う高さが増すにつれて、パーフォレーション２４の断面積が増大する。パーフォレーション２４が各キャビティ１４からデカントされる流体を受け取り、またパーフォレーション２４は、各スクリーン１２内の濾過された流出物の重力水頭の効果を打ち消すことにより一様な流れを促進するように、ドレンスタンドパイプ１６に沿って分布される。
【００２５】
図３Ａ〜３Ｇを参照すると、例示のドレンスタンドパイプ１６内で、適切なパーフォレーション２４の種々の構成（孔２４ａ、テーパ状であるかまたは多様な長さの垂直方向のスロット２４ｂ、水平方向のスロット２４ｃ、および、網２４ｄ）が示されている。
【００２６】
図３Ｅを参照すると、現在好適な実施形態において、ドレンスタンドパイプ１６の直径がその長さに沿って一定である。複数の孔２４ａがドレンスタンドパイプ１６に穿孔されており、ドレンスタンドパイプの長さに沿って垂直方向に離間されており、ここでは孔２４ａのうちの少なくとも２つの孔が異なる直径を有する。
【００２７】
現在好適な実施形態では、図４および６に示されるように、上記ドレンスタンドパイプ１６の円周の周りで各列が均等に離間されている３つの垂直方向の列の孔として、孔２４ａがアレイとして配置されており、つまり、その結果として、各列の孔がドレンスタンドパイプの円周の周りで約１／３のところに配置され、つまり、次の列の孔から１２０°で配置される。孔２２ａが各スクリーン１２に跨るすべての浸入深度において一様な流れを促進する。同じ構成の孔が図３に示される他の種類の孔にも適用される。
【００２８】
次に図６を参照すると、ドレンスタンドパイプ１６がＳＢＸの実施形態０１において現在好適な構成で配置されている。平面図では、それの隣接する列の孔から１２０°で３つ列の孔を有する各ドレンスタンドパイプ１６が、同じ列および隣接する列の両方において、そのすぐ隣のドレンスタンドパイプから３０°回転したところに装着される。（各列の開口部２４の中心線５０が各ドレンスタンドパイプ１６に対して示されている。）したがって、いずれのドレンスタンドパイプ１６内の開口部の列も、他のドレンスタンドパイプ内の開口部の他の列に対向しない。これらの基準に合うようなドレンスタンドパイプの向きの多様な組合せを示すことができ、このような組合せはすべてが本発明に完全に包含される。
【００２９】
再び図１、２および５を参照すると、マニホルド２４が、各カートリッジ１０の底部内の開口部２０を介して各ドレンスタンドパイプ１６から液体を収集する。さらに、現在好適な実施形態では、偏向板２６がスクリーンボックス組立体０１内でカートリッジ１０とマニホルド２４との間に配置され、スクリーンボックス組立体の下方のタンク内の液体の垂直方向の移動を抑制し、それにより、ＳＢＸの下方の沈殿したより大きいＢＯＤ粒子（ＢＯＤ  ｐａｒｔｉｃｌｅ）がタンク内を上方に移動してスクリーンボックス組立体のスクリーン１２を汚染することが効果的に防止される。
【００３０】
現在好適な実施形態では、空気プレナム２８がスクリーンボックス組立体０１内の各フレーム２０の下側領域に取り付けられ、各空気プレナムが圧縮ガスの供給源から供給を受け、また各空気プレナムがスロットまたは孔２９などの出口開口部を備え、その結果、出口開口部２９を通って空気プレナム２８から出る気泡が、スクリーンボックス組立体のスクリーン１２の表面に沿って、またその表面の近くで、またその表面を通って上方に流れ、それによりスクリーンの汚れを落としてスクリーンを洗浄する。
【００３１】
次に図５を参照すると、マニホルド２４がドレン出口３２内で終端する中央ドレンチャンネル３０を備える。中央ドレンチャンネル３０には、中央ドレンチャンネル３０へ排水するための複数の供給チャンネル３４が横切っている。さらに、カートリッジ１０（ここでは図示せず）が供給チャンネル３４を横切っており、カートリッジと供給チャンネルとの間で密閉される対合ポート３６を介して供給チャンネル３４へ排水する。図示しない供給源からの圧縮ガスがガス吸気ポート３８を介してマニホルド２４に入り、カートリッジと供給チャンネルとの間で密閉される空気出口ポート４０を介してマニホルドから出る。デカンタ０１のためのレールを形成してデカンタ０１を降下させるためのリフティングカラム４２が設けられる。
【００３２】
種々の特定の実施形態を参照して本発明を説明してきたが、説明される本発明の概念の精神および範囲内で多くの変更が行われ得ることを理解されたい。したがって、本発明は説明される実施形態に限定されることを意図されず、以下の特許請求の範囲の言葉によって定義される全範囲を有する。
【符号の説明】
【００３３】
０１  スクリーンボックス組立体
１０  カートリッジ
１２  スクリーン
１４  キャビティ
１６  ドレンスタンドパイプ
１８  フレーム
２０  開口部
２２ａ  孔
２４  パーフォレーション
２４ａ  孔
２４ｂ  垂直方向のスロット
２４ｃ  水平方向のスロット
２４ｄ  網
２６  偏向板
２８  空気プレナム
２９  孔、出口開口部
３０  中央ドレンチャンネル
３２  ドレン出口
３４  供給チャンネル
３６  対合ポート
３８  ガス吸気ポート
４０  空気出口ポート
４２  リフティングカラム
５０  中心線
【図１】
2017185477.tif 000003
【図２】
2017185477.tif 000004
【図３】
2017185477.tif 000005
【図４】
2017185477.tif 000006
【図５】
2017185477.tif 000007
【図６】
2017185477.tif 000008
【外国語明細書】
2017185477000001.pdf